(57)【要約】【課題】揚送ベルトと研磨布とによってパチンコ玉を研磨しながら揚送する揚送研磨装置における研磨布の装着作業を容易化するとともに、装着された研磨布のずれ又は揚送ベルトとの接触を防止する。【解決手段】この発明は、ベルト式揚送研磨装置について、研磨布の装着を容易かつ適切に行うことができるようにしたものである。すなわち、上記の揚送ベルト７の各側方には、研磨布２１に対する布押さえ手段３１が設けてあり、この布押さえ手段は、扉１３を閉めることにより研磨布の両縁部２１ａを研磨マット２９の対向面に押圧可能としてある。研磨布２１の装着は、両端を引き延ばして扉を閉じるだけで布押さえ手段３１により縁部２１ａが押さえ付けられる。また布押さえ手段３１の押圧部に摩擦抵抗の大きい押圧部材３３を設け、あるいは押圧部を付勢することなどにより布押さえの効果を高くするようにしてある。【選択図】　　　図２
2004081262.tif 000002
【特許請求の範囲】
【請求項１】
ベース上に立設してある揚送塔本体及びこの揚送塔本体にヒンジを介して開閉自在に取り付けてある扉を備えた揚送塔と、上記揚送塔の上下に設けてあるプーリーに掛け回してある揚送ベルトと、上記扉を閉じた状態において上記揚送ベルトの上昇側と対向するように当該扉の内側に取り付けてある研磨マットと、上記研磨マットの前面を覆うように上記扉の上下にわたって装着可能な研磨布と、上記揚送ベルトの上昇側を上記揚送塔本体から離れる方向に押圧するように当該揚送塔本体に配設してある複数の押圧ローラーとを備えた揚送研磨装置において、
上記扉を閉じた状態における上記揚送塔本体の上記研磨マットとの対向面の両側部には、上記研磨布の各縁部又はその近傍を上記研磨マットに押さえ付け可能とする布押さえ手段が設けてある
ことを特徴とする揚送研磨装置。
【請求項２】
請求項１において、上記布押さえ手段には、上記研磨布の各縁部又はその近傍を押さえ付ける押圧部を有し、この押圧部には上記研磨布の滑り止め手段が設けてあることを特徴とする揚送研磨装置。
【請求項３】
請求項２において、上記布押さえ手段には、上記扉を閉めたときに上記押圧部が、上記研磨布を付勢された状態で押さえ付け可能にする付勢手段を備えていることを特徴とする揚送研磨装置。
【請求項４】
ベース上に立設してある揚送塔本体及びこの揚送塔本体にヒンジを介して開閉自在に取り付けてある扉を備えた揚送塔と、上記揚送塔の上下に設けてあるプーリーに掛け回してある揚送ベルトと、上記扉を閉じた状態において上記揚送ベルトの上昇側と対向するように当該扉の内側に取り付けてある研磨マットと、上記研磨マットの上記揚送ベルトとの対向面を覆うように上記扉の上下にわたって装着可能な研磨布と、上記揚送ベルトの上昇側が上記研磨布と当該揚送ベルトとの間を転がり移動中のパチンコ玉を当該研磨布に押圧可能とするように所定間隔に配設してある複数の押圧ローラーと、上記扉を閉じた状態における上記揚送塔本体の当該扉との対向面かつ上記揚送ベルトの外方に、上記研磨布を上記研磨マットの前面に保持可能に設けてある研磨布ガイドとを備えた揚送研磨装置において、
上記研磨布ガイドの外方かつ上記扉の内壁に沿ったスペースの範囲には、上記研磨布の両側の余剰となった部分を収納可能な余剰部収納スペースが設けてある
ことを特徴とする揚送研磨装置。
【請求項５】
請求項４において、上記余剰部収納スペースが設けてある範囲における上記扉の内側には、当該余剰部収納スペース内から上記研磨布の余剰となった部分のはみ出しを防止する余剰部ガイドが設けてあることを特徴とする揚送研磨装置。
【請求項６】
請求項５において、上記余剰部ガイドは、上記扉の両側板の端部から内側に所定幅だけ突出するように設けたガイド片からなることを特徴とする揚送研磨装置。
【発明の詳細な説明】
【０００１】
【発明の属する技術分野】
本発明は、パチンコ島に設置する揚送研磨装置に関するものである。
【０００２】
【従来の技術】
周知の通り、通常のパチンコ遊技場の島には、各パチンコ機から排出されたアウト玉を集め、これらのパチンコ玉を研磨しながら揚送する揚送研磨装置が設けてある。揚送研磨装置にはいくつかの型式があるが、これらの中で揚送ベルトの上昇側と研磨布との間にパチンコ玉を送り込み、揚送ベルトの上昇移動により各パチンコ玉を転がり移動させながら研磨する型式、いわゆるベルト式（布式）揚送研磨装置がある（例えば特開平１１−２７６７０９号公報）。
【０００３】
上記のベルト式揚送研磨装置の構成例として、図５にその要部を断面図で示してある。図示してあるように、揚送塔本体１０１に扉１０３がヒンジ１０５を介して開閉自在に取り付けてあり、フック１０７によりこの扉１０３をロック可能としてある。扉１０３内には、パチンコ玉の通路の役割を果たす複数条の溝部１０９ａ，…を有する研磨マット１０９が取り付けてある。また、研磨マット１０９の前方には、上記の揚送ベルト１１１の上昇側が研磨マット１０９と対向するように位置している。この揚送ベルト１１１は、揚送塔の上下に設けられたプーリーに掛け回されている（図１参照）が、上昇側が揚送塔本体１０１に取り付けられた複数の押圧ローラー１１３（１個だけ図示）により、研磨マット１０９側へ近づくように押圧されている。さらにまた、研磨マット１０９の前面（溝部設置面）は、帯状の研磨布１２１で覆われている。この研磨布１２１は、図５（ａ）に示すように、パチンコ玉を揚送する前は、研磨マットの溝部１０９ａの底面に接触しない状態となっているのに対し、パチンコ玉の通過により研磨布１２１が溝部１０９ａに押し付けられるため、同図（ｃ）に示してあるように、表面にパチンコ玉通路１２１ｂ，…が形成されている。
【０００４】
ここで、研磨布１２１の装着要領を簡略化して述べると、まず、扉１０３を開けた状態で、研磨布１２１を扉１０３の上端部から下端部まで引き延ばし、さらに研磨布１２１の両端を扉の外側に備え付けの研磨布固定手段（図示略）及び研磨布保持手段（図示略）により張力を持たせた状態に保持する。研磨布１２１は上記の通り、上下方向の張りを持たせてあるとともに、研磨布１２１の横幅は扉の内幅よりも少し大きめにしてあるので、横幅の中央部が揚送ベルト１１１に接近するように膨らんだ状態となることが多い。また、研磨布１２１は、扉１０３の内側に位置する状態に装着された範囲が、両側の縁部１２１ａ，１２１ａを扉１０３の内側に設けられたガイド溝１１５，１１５に挟み込むように保持されてこれらの縁部１２１ａが揚送ベルト１１１等に接触しないようになっている（図５（ａ），（ｂ）参照）。
【０００５】
【発明が解決しようとする課題】
上記したように、揚送研磨装置に研磨布を装着する際には、研磨布１２１の両縁部１２１ａ，１２１ａを、扉１０３の内側の上部から下部にわたって設けてあるガイド溝１１５内に入れ込む必要があるが、この作業は高所の範囲では手が届きにくくなっているため非常に面倒なものとなっている。また、研磨布１２１の下端側を研磨布固定手段に固定した後に、上端側を研磨布保持手段により張りを持たせた状態に保持すると、上記したように中央部に膨らみを生じて縁部１２１ａ，１２１ａが中央部に引き寄せられるて、実質的に横幅が狭くなるために、研磨布１２１の縁部１２１ａが上記のガイド溝１１５から外れ易くなっている。このような状態でパチンコ玉を通過させると、研磨布１２１の装着位置に幅方向のずれが生じ、図５（ｃ）に示すように、いずれかの又は両方の縁部１２１ａがガイド１１５の溝部からはみ出してしまうことがある。こうしてガイド１１５からはみ出した縁部１２１ａは揚送ベルト１１１に接触し、これにより研磨布１２１及び揚送ベルト１１１にともに摩滅を生じるなどの原因となっている。
【０００６】
また、研磨布の幅は、研磨布１２１の研磨マット１０９の溝部１０９ａへのなじみ分、すなわち、研磨布１２１を溝部１０９ａの底面に沿わすための迂回分を見越して横幅に余剰分を加え、扉１０３の内寸よりも幅広のものが採用されているが、この余剰分が大きければ大きいほど、図５（ｂ）に示すように、揚送ベルト側へ膨らんでしまう。この状態で運転を開始すると、研磨布の幅方向の中央部と揚送ベルトとが接触してこれらの両者を摩滅させるおそれがある。さらに、研磨布１２１の縁部１２１ａは、上記の膨らみ方が必ずしも一様にはならないため、パチンコ玉を通過させると、研磨布１２１の幅方向への偏りを生じやすくなっている。この偏りの発生により、研磨布１２１の縁部１２１ａがガイド１１５から外れ、外れた部分が揚送ベルト１１１と接触して研磨布１２１及び揚送ベルト１１１の両者に摩滅を生じるなどの原因となっている。
【０００７】
本発明の目的は、研磨布を正常な位置に装着容易かつ研磨布が揚送ベルトと接触することを回避可能とする揚送研磨装置を提供することにある。
【０００８】
【課題を解決するための手段】
上記の目的を達成するために、本発明は、パチンコ玉の揚送研磨装置、特にベルトの上昇側と研磨布との間に送り込まれたパチンコ玉を研磨しながら揚送するいわゆるベルト式揚送研磨装置に以下の諸手段を採用することにより以下の作用効果を生じるようにしたところに特徴がある。
【０００９】
（請求項１に記載した発明の構成）
請求項１に記載した発明は、ベース上に立設してある揚送塔本体及びこの揚送塔本体にヒンジを介して開閉自在に取り付けてある扉を備えた揚送塔と、この揚送塔の上下に設けてあるプーリーに掛け回してある揚送ベルトと、上記の扉を閉じた状態において揚送ベルトの上昇側と対向するようにこの扉の内側に取り付けてある研磨マットと、この研磨マットの前面を覆うように扉の上下にわたって装着可能な研磨布と、上記の揚送ベルトの上昇側を揚送塔本体から離れる方向に押圧するように揚送塔本体に配設してある複数の押圧ローラーとを備えたパチンコ玉の揚送研磨装置に以下の手段を備えたものからなる。すなわち、扉を閉じた状態における揚送塔本体の研磨マットとの対向面の両側部には、研磨布の各縁部又はその近傍を研磨マットに押さえ付け可能とする布押さえ手段が設けてあるところに特徴がある。
【００１０】
（請求項１に記載した発明の作用効果）
この発明の採用により、研磨布を扉の上部から引き入れて上下に張りを持たせた状態とし、そのまま扉を閉めてロックするだけで、上記の布押さえ手段により研磨布の各縁部又はそれらの近傍を研磨マットの対向面に押圧した状態とすることができる。この結果、これまでのように研磨布の縁部をガイドの溝部に入れる手間を要せず、研磨布の装着作業を極めて容易なものとする効果がある。また、研磨布の各縁部又はその近傍がが押圧部によって研磨マットの前面に押さえ付けられるため、運転中に研磨布の縁部がガイドから外れて、研磨布の装着状態にずれを生じるようなことがなくなる。また、研磨布が正常な位置に保持されることから、揚送ベルト等に接触するようなことがなくなるので、研磨布や揚送ベルトの摩滅を防止可能となる。
【００１１】
（請求項２に記載した発明の特徴）
請求項２に記載した発明の揚送研磨装置は、上記の布押さえ手段を、研磨布の各縁部又はその近傍を押さえ付ける押圧部を有し、この押圧部には研磨布の滑り止め手段を設けたものにより構成してあるところに特徴がある。これは、研磨布を布押さえ手段によって押圧する場合における研磨布に対する摩擦抵抗による保持能力を大きくするようにしたものである。研磨布の両縁部又はそれらの近傍は、布押さえ手段により、研磨マットの前面に押さえ付けられるが、上記の滑り止め手段を設けることにより研磨布を押さえ付けるようにすれば、大きな摩擦力が作用するため、研磨布は押さえ付け状態をさらに大きく効果的なものとすることができる。この結果、研磨布が布押さえ手段から外れて揚送ベルト等へ接触するようなことを防止し、揚送研磨装置の安定した操業が可能となる。
【００１２】
（請求項３に記載した発明の特徴）
請求項３に記載した発明の揚送研磨装置は、上記の布押さえ手段に、扉を閉めた状態における上記の押圧部が、付勢された状態で研磨布を押さえ付け可能にする付勢手段を備えているところに特徴がある。この布押さえ手段は、扉を閉めると、押圧部が上記の研磨布の両縁部又はその近傍の位置を研磨マットの前面に押さえ付けるようになっているが、押圧部が固定されているものにあっては、押圧部と研磨マットの前面との間隔は一定となっている。このため、研磨布の厚さが異なると押圧力に差が生じ、あるいは押圧部が非接触状態となって、適切な押さえ付け状態が得にくくなる。これに対し、布押さえ手段に付勢手段を備え付ければ、押圧部が付勢力により付勢された状態で研磨布を押圧可能となる。したがって、研磨布の厚さが変化しても付勢手段の伸縮によりこれを吸収可能となるため、常に研磨布を押さえ付けることが可能となる。研磨布の厚さの変化は、製造上の理由やクリーニングの繰り返し等により生じるものなどがあるが、このように付勢手段を備えた布押さえ手段の採用により、このような研磨布の厚さの変化に対応可能となる。
【００１３】
（請求項４に記載した発明の構成）
請求項４に記載した発明の揚送研磨装置は、請求項１ないし請求項３に記載した発明の揚送研磨装置と同様の基本構成を採用してなる揚送研磨装置に以下の手段を採用したものである。すなわち、揚送塔本体における扉と対向する位置かつ揚送ベルトの上昇側の各側方に、研磨布を所定の位置に保持可能に設けてある研磨布ガイドの各外方かつ扉の内壁に沿った空間の範囲に、研磨布の両側の幅が余剰となった部分を収納可能な余剰部収納スペースが設けてあるところに特徴がある。
【００１４】
（請求項４に記載した発明の作用効果）
研磨布は、運転中にパチンコ玉を研磨マットの溝部に沿って転がり移動させると、研磨布が溝部の底面に沿って迂回するような状態となって、中央側に引っ張られて、横幅が狭くなることを見越して扉の内幅よりも幾分大きめのものを採用することが行われている。広幅の研磨布を採用すると、研磨装置への研磨布の装着に際しては、未だパチンコ玉の通過による内側への引き込みが生じていないため、縁部を含む余剰となった部分、すなわち余剰部が研磨布ガイドの外側へはみ出している。このことは、余剰部が扉の先端部からはみ出して扉を閉める際の障害となり、あるいはそのまま扉が閉じられると、両側の余剰部が進出して揚送ベルトに接触することにより摩滅の原因となるなどのおそれがある。本発明は、扉の内側における研磨布ガイドの各外側に研磨布の余剰部を収容可能な余剰部収納スペースを設けることにより、このような障害を未然に防止するようにしてあるところに特徴がある。この結果、扉の内幅よりも広い横幅の研磨布の装着を可能とし、研磨布の横幅不足による研磨布ガイドからの逸脱が生じなくするとともに余剰部がガイドから外れることを防ぐことが可能となる。
【００１５】
（請求項５記載した発明の特徴）
請求項５記載した発明の揚送研磨装置は、請求項４に記載した発明に係る余剰部収納スペースに、このスペース内から研磨布の余剰部の先端部（縁部）がはみ出すことを防止するための余剰部ガイドが設けてあるところに特徴がある。これは研磨布の余剰部が上記の余剰部収納スペース内からはみ出してしまうと、扉を閉じる際の障害防止、あるいは揚送ベルトに接触することを防止するための手段として採用されたものである。余剰部ガイドの具体例としては、扉を閉じたときに扉の側板が揚送塔本体と当接する部分となる先端部を直角に折り曲げる、あるいは側板の適当な位置に突起部を設けるなどにより研磨布の縁部を支持して停止可能とするものなどがある。
【００１６】
（請求項６記載した発明の特徴）
請求項６に記載した発明の揚送研磨装置は、上記の余剰部ガイドの構成を限定したものである。すなわち、余剰部ガイドは扉の両側板の端部から内側に所定幅だけ突出するように形成したガイド片からなる。扉を閉めると、研磨布ガイドで研磨布が研磨マットから離反することを防ぎ、両側の余剰部が余剰部収納スペース内に収納されたとき、余剰部の先端部（縁部）が扉の側板の内壁に沿って前方へ進入する場合に、この先端部が揚送ベルトに接触し、あるいは扉を閉める際にはみ出したりすることがあり、研磨布の装着作業の面倒さを回避可能とするものである。このガイド片は扉の製造の際に扉の本体にガイド片を設ける加工を施すだけで設置可能となるので製造コストの面で有利となっている。
【００１７】
【発明の実施の形態】
（ベルト式揚送研磨装置の全体の構成）
図１は、ベルト式揚送研磨装置の全体の構成例についての概要を示すものである。図示してあるように、パチンコ遊技場の床面上に敷かれたベースプレート１上に、上端部が天井（図示略）の上に達する高さの揚送塔３が立設してある。揚送塔３の上部には上プーリー５が設けてあり、下部にはこの上プーリーと対をなす下プーリー６が設けてある。この両プーリー５，６には、平ベルト状の揚送ベルト７が掛け回してあり、モーター９により回転移動可能としてある。同図（ｂ）において、揚送ベルト７は揚送塔３の右側上部に下降側が部分的に露出している。上昇側は揚送塔３の左側に位置しており、この範囲は揚送塔３の左側に隠れている（なお、図２以下参照）。揚送ベルト７は、揚送塔３の右側で露出しているため従業員などが接触するおそれのある下部の範囲は危険防止用の保護カバー１９で保護されている。
【００１８】
揚送塔３は、揚送塔本体（以下「本体」という）１１、扉１３及び本体１１の頭部に設けられたヘッド１５を主な要素とする。扉１３はヒンジ１７を介して本体１１に開閉自在に取り付けられており、ロック手段であるフック１８により閉じた状態でロック可能としてある。扉１３の前面（図１（ｂ）左側）の中程には、研磨布２１を保持するための研磨布保持装置２３が設けてあり、扉１３の下部近傍には、研磨布固定手段２５が設けてある。研磨布２１は、扉３を開いた状態で研磨布保持装置２３を通り抜け、扉１３の上端部を乗り越えて内側で下方へ引き出され、扉１３の下端部から再び外へ引き出されて上記の研磨布固定手段２５で固定されるようになっている。研磨布２１は、研磨布保持装置２３により所定の張りを持たせて保持された状態に装着可能となっている。
【００１９】
（第１実施の形態例）
図２は、第１実施の形態例（以下「第１例」という）に係る揚送塔の構成について、図１の線Ａ−Ａの部分を扉が開いている状態、扉が閉じている状態及び使用後の状態を断面図で示したものである。第１例に係る揚送塔の構成は、本体１１における揚送ベルト７の上昇側が位置している方の面の両側部に、後述の布押さえ手段３１，３１を設けることにより、研磨布２１を後述の研磨マット２９の前面（溝部設置面）に押さえ付け可能に構成したものである。なお、図２以下の各図は主要な要素の断面の厚さが薄くなっており、ハッチングを施すとわかりにくくなるおそれがあるためこれを省略してある。
【００２０】
上記の本体１１には、複数の押圧ローラー２７が回転自在かつ所定の間隔に設けてあり（１個だけ表示）、上記の揚送ベルト７の上昇側は、この押圧ローラー２７によって研磨布２１側へ押圧されている。扉１３の内側には、パチンコ玉の通路となる複数の溝部２９ａ，…を有する研磨マット２９が、取り付け部材３０，３０を介して固定してある。研磨マット２９の前面は、装着される研磨布２１で覆われるようになっている。研磨布２１の横幅は、扉１３の内寸よりもやや広くしたものを採用してあるため、装着時における研磨布２１の縁部２１ａ，２１ａが扉１３の側壁に当接している。また、装着された研磨布２１と揚送ベルト７との間をパチンコ玉が通過する前は、研磨布２１は上下で引っ張られているため、同図（ｂ）に示すように、幅方向の中央部が膨らんで、研磨マット２９から最も離れた位置すなわち揚送ベルト７に接近する円弧に近い形状になっている。
【００２１】
本体１１の扉１３との対向位置かつ揚送ベルト７の各側方には、研磨布２１の布押さえ手段３１を構成する押圧部材３１ａ，３１ａが設けてある。各押圧部材３１ａは、コ字状断面に形成された部材の開口部側が本体１１に固定してあり、押圧部材３１ａの研磨布２１との対向面には滑り止め手段３３が設けてある。滑り止め手段３３の例としては、プラスチック又は金属の表面に凹凸又は突起部等を設けることにより摩擦抵抗を大きくするようにした薄板を貼付したものが用いられている。滑り止め手段３３は上記手段の他、これを設けることにより研磨布２１に対する保持力を高めるようにするための手段であれば特に制限はない。
【００２２】
図２（ａ）は、扉１３が開いた状態となっているが、この状態のときに研磨布２１を研磨マット２９の前面側を覆うように装着してから扉を閉じると、同図（ｂ）に示すように、研磨布２１の両縁部２１ａ，２１ａは、布押さえ手段３１，３１と研磨マット２９の前面との間に挟み込まれた状態になり、しかもこの布押さえ手段３１に設けられた滑り止め手段３３によって容易には外れない状態に保持されている。この発明を適用してなる揚送研磨装置の運転が開始されると、揚送ベルト７が押圧ローラー２７により研磨マット２９側へ押されているため、研磨布２１は、揚送ベルト７と研磨布２１との間に挟まって上昇移動するパチンコ玉（図示略）によって、研磨マット２９の溝部２９ａに沿うように押し付けられる。この結果、同図（ｃ）に示すように、研磨布２１の表面上に縦縞状のパチンコ玉の通路２１ｃ，…が研磨マット２９の溝部２９ａに迂回して沿うように形成される。このとき、研磨布２１の両縁部２１ａ，２１ａは、横幅方向が中央部に向けて引き込まれるように変位するが、横幅に余裕がある上に、布押さえ手段３１，３１によって押さえ付けられた状態になっているため、両側の縁部２１ａ，２１ａが中央部に向けて少しずれるだけであり、押さえ付け手段３１から外れるようなことは生じない。
【００２３】
（第２実施の形態例）
第２実施の形態例（以下「第２例」という）も、基本的構成は、布押さえ手段を設けてあることを含めて上述の第１例と同様である。そこで、図面の符号については、第１例と共通するものについては同じものを使用し、異なる要素についてのみ新たな符号を付すようにしてある。図３（ａ）は、第１例を表示した図２（ａ）に対応し、同図（ｂ）は、図２（ｂ）に対応している。図示の通り、扉１３を閉じた状態における本体１１の研磨マット２９の前面と対向する位置かつ、揚送ベルト７の各側方に布押さえ手段４１，４１が設けてある。また、同図（ｂ）に示すように、それぞれ研磨布２１の両縁部２１ａ，２１ａを研磨マット２９の前面に押さえ付け可能としてあることについては上記第１例と同様である。
【００２４】
第２例では、この布押さえ手段４１を、本体１１に固着された溝部材４５と、コ字状断面に形成してなる押圧部材４１ａと、この押圧部材４１ａに研磨布２１を付勢した状態で研磨マット２９の前面に押さえ付け可能にする圧縮ばね４４とにより構成してある。押圧部材４１ａの表面には、第１例と同様の滑り止め手段４３を備えている。押圧部材４１ａは、図示していないガイド手段により溝部材４５から脱落不能としてあるとともに、圧縮ばね４４の伸縮範囲内で進退可能としてある。
【００２５】
押圧部材４１ａは、扉１３が開いているときには、滑り止め手段４３を備えた押圧面が溝部材４５からある程度突出しているが（同図（ａ）参照）、扉１３を閉めると、押圧部材４１ａの押圧面が研磨布２１に弾接し、かつ付勢力に抗して後退したものとなる（同図（ｂ）参照）。このように押圧部材４１ａに付勢力が働くため、研磨布２１の厚さの変化は圧縮ばね４４で吸収され、常に付勢された状態で研磨布２１を押さえ付け可能となる。その他の作用等は第１例と同様である。なお、本発明に係る布押さえ手段は、上記例に限定されるものではなく、例えば、上記の押圧部材と対向する研磨マット上に第２の押圧部材を設け両者で研磨布の縁部を挟み込むようにする構成など各種の構成を採用可能である。
【００２６】
（第３実施の形態例）
第３実施の形態例（以下「第３例」という）は、揚送ベルト、本体及び押圧ローラー等の基本的構成については、上記の第１，２例と共通性のあるものを採用してある。ただ、第３例では幅広の研磨布を採用可能とすることにより、研磨布が研磨布ガイドから外れないようにしてあるところに特徴がある。図４（ａ），（ｂ）は、第１例を表示した図２（ａ），（ｂ）に対応するように示したものである。図中、揚送ベルト７、本体１１、押圧ローラー２７及び研磨マット２９は共通性を有するものであるので、それぞれ第１，２例と同じ符号を使用してある。
【００２７】
図４（ａ）に示すように、上記第１，２例で布押さえ手段が設けてあった位置とほぼ同じ位置には、研磨布ガイド５１，５１が設けてあり、同図（ｂ）に示すように、扉５３を閉じた時に幅広の研磨布６１の幅方向の各縁部６１ａ，６１ａ近傍を研磨マット２９の前面から離反しないように押さえ付け可能としてある。研磨布６１は、扉５３の内寸よりも幅の広いものを採用してあるため、研磨ガイド５１，５１で押さえ付けたときにこれらのガイド５１の外方に伸びて余剰となっている部分、すなわち、余剰部６１ｂ、６１ｂが生じるようになっている（同図（ｂ）参照）。したがって、上述したように、パチンコ球の通過により、研磨布６１が揚送マット２９の溝部２９ａ，…に沿うように変形して各側部を中央部に向けて引き込んでも、両側にこれらの引き込み分を補充する余剰部６１ｂ，６１ｂが存在するため、研磨布６１の縁部６１ａ，６１ａが研磨布ガイド５１からの外れることを防止可能としてある。
【００２８】
また、各研磨布ガイド５１，５１の外側と、扉５３の内壁と研磨マット２９及び本体１１に一部によって囲まれたスペースの範囲は、上記の余剰部６１ｂ，６１ｂを収納可能な余剰部収納スペース５７となっている。この余剰部収納スペース５７は、研磨布６１の縁部が研磨布ガイド５１から外れることを防止可能とするために、大きな横幅の研磨布６１を装着することを前提にしたものである。このような余剰部収納スペース５７を備えていない場合には、研磨布６１の縁部が研磨布ガイドから外れてしまうおそれがあったが、これを備えることにより余剰部６１ｂ，６１ｂを有する研磨布の装着が可能となり、研磨布６１を装着して上述のパチンコ玉の通路が形成された後にも横幅に余裕ができるので、研磨布の縁部が研磨布ガイド５１から外れるおそれがなくなる。
【００２９】
また、研磨布６１の横幅が大きいと、余剰部６１ｂが扉５３の外へはみ出して扉５３を閉じにくくし、あるいは揚送ベルト７に接触する等のおそれがあるが、これに対しては、図４（ａ），（ｂ）に示すように、扉５３の内側かつ側板の端部に余剰部のはみ出し等を防止するための余剰部ガイド５３ａが設けてある。余剰部ガイド５３ａは、扉５３の製造過程において、側板の先端部を直角に折り曲げてなるガイド片を形成するだけ、又は所定幅の板材からなるガイド片を固着するだけで設置可能であるので、製造コストを抑えることが可能となる。
【００３０】
図４（ｃ）は、第３例の変形例を示したものである。ここでは、研磨マット５９の各側部の前面側に丸みを有する後退部５９ｂ、５９ｂを形成し、上記の余剰部収納スペース５７にこのような後退部５９ｂを含むスペースを付加することにより、余剰部収納スペース６７をより大きくしたものである。余剰部収納スペース６７が大きくなっているため、研磨布７１の余剰部７１ｂ，７１ｂをさらに大きくすることが可能となるので、研磨布７１の縁部７１ａ，７１ａが研磨布ガイド５１からの離脱のおそれを解消可能となる。研磨マット５９は、扉５３の側壁に設けられた突起部５３ｂによって固定するようになっているが、この突起部５３ｂは側壁と研磨マット５９との隙間に進入しないようにするための余剰部ガイドとしての機能をも有している。なお、研磨マット５９の扉５３への固定手段は、上記の突起部５３ｂに拘束されず、他の手段で固定してもよい。
【００３１】
本発明に係る布押さえ手段は、上記例に限定されるものではなく、例えば、上記の押圧部材と対向する研磨マット上に第２の押圧部材を設け両者で研磨布の縁部を挟み込むようにする構成など各種の構成を採用可能である。なお、本発明の適用は、上記の揚送研磨装置に限定されるものではなく、ベルト式（布式）揚送研磨装置全般に適用可能である。
【００３２】
【発明の効果】
本発明によれば、研磨布の布押さえ手段の採用により、研磨布の装着に際して縁部をガイド溝に入れる必要がなく、研磨布を上下に張り渡した状態で扉を閉めるだけでよくなるので、研磨布の装着作業が容易となる。また、研磨布の縁部を布押さえ手段で押さえ付けてあるので、研磨布のずれが生じなくなる。さらに布押さえ手段に付勢手段を採用すれば、研磨布の厚さの変化を吸収可能となるので、常に研磨布を押さえ付け可能となる。
【００３３】
そして、扉内部の研磨布ガイドの両外側に研磨布の両側に付加された余剰部を収納可能に余剰部収納スペースを設けるようにすれば、幅広の研磨布を採用可能となるので、パチンコ玉の通過により両縁部が幅方向の中央部に引き寄せられても研磨布ガイドから離脱するおそれがなくなる。また、余剰部収納スペースの設置により研磨布の余剰部の扉からのはみ出しを防ぐことができるので、扉を閉じる際の障害の発生や、研磨布ガイドから離脱した余剰部が揚送ベルトに接触することにより、研磨布と揚送ベルトとの両者の摩滅を防止可能となる。
【図面の簡単な説明】
【図１】本発明を適用した揚送研磨装置の全体の構成を示すものであり、（ａ）は正面図、（ｂ）は側面図である。
【図２】第１実施の形態例の要部を示すものであり、（ａ）は扉を開いた状態を示す断面図、（ｂ）は扉を閉じた状態を示す断面図、（ｃ）はパチンコ玉の通過後の状態を示す断面図である。
【図３】第２実施の形態例の要部を示すものであり、（ａ）は扉を開いた状態を示す断面図、（ｂ）は扉を閉じた状態を示す断面図である。
【図４】第３実施の形態例の要部を示すものであり、（ａ）は扉を開いた状態を示す断面図、（ｂ）は扉を閉じた状態を示す断面図、（ｃ）は第３実施の形態例の変形例を示す断面図である。
【図５】従来例の要部を示すものであり、（ａ）は研磨布が正常に装着されている状態を示す断面図、（ｂ）は研磨布の横幅の中央部が揚送ベルトに接触している状態を示す断面図、（ｃ）は研磨布の縁部が研磨布ガイドから外れて揚送ベルトに接触している状態を示す断面図である。
【符号の説明】
１　　　　　　　　　　　ベースプレート
３　　　　　　　　　　　揚送塔
５　　　　　　　　　　　上プーリー
６　　　　　　　　　　　下プーリー
７　　　　　　　　　　　揚送ベルト
９　　　　　　　　　　　モーター
１１　　　　　　　　　　揚送塔本体
１３，５３　　　　　　　扉
２１，６１，７１　　　　研磨布
２１ａ，６１ａ，７１ａ　縁部
６１ｂ，７１ｂ　　　　　余剰部
２７　　　　　　　　　　押圧ローラー
２９，５９　　　　　　　研磨マット
２９ａ，５９ａ　　　　　溝部
３０　　　　　　　　　　取り付け部材
３１，４１　　　　　　　布押さえ手段
３３，４３　　　　　　　滑り止め部材
４４　　　　　　　　　　付勢手段
５１　　　　　　　　　　研磨布ガイド
５３ａ　　　　　　　　　余剰部ガイド（ガイド片）
５７，６７　　　　　　　余剰部収納スペース
【図１】
2004081262.tif 000003
【図２】
2004081262.tif 000004
【図３】
2004081262.tif 000005
【図４】
2004081262.tif 000006
【図５】
2004081262.tif 000007